(57)【要約】【課題】  多層の書き換え可能型の光ディスクをファイナライズする場合に記録容量が多いため、全ての領域をデータで埋める処理に時間が掛かっていた。また、下位層を記録する前に上位層を記録することができないため予めダミーデータを記録しておくことができない。【解決手段】  下位層を記録すると同時に上位層にもダミーデータを記録すると共にその位置に係わる情報を管理領域に記録しファイナライズ時にその情報を参照することにより必要最小限の処理でファイナライズを終了させる。【選択図】      図２
2006236483.tif 000002
【特許請求の範囲】
【請求項１】
複数の記録層を持つ書き換え可能な光ディスクに情報を記録する光ディスク装置であって、
一層目の記録を実施した際に対面する層にダミーデータを記録し、その領域の場所に係わる情報を記録する手段を有することを特徴とする光ディスク装置。
【請求項２】
複数の記録層を持つ書き換え可能な光ディスクであって、一層目の記録を実施した際に対面する層にダミーデータを記録し、その領域の場所に係わる情報を記録できるフィールドを持つことを特徴とする光ディスク。
【請求項３】
複数の記録層を持つ書き換え可能な光ディスクに情報を記録する光ディスク装置であって、
一層目の記録が終了している場合に対面する層にダミーデータとしてリードアウトのデータを記録する手段を有することを特徴とする光ディスク装置。
【請求項４】
複数の記録層を持つ書き換え可能な光ディスクであって、一層目の記録が終了している場合に、その対面する層にダミーデータとしてリードアウトのデータが記録されていることを特徴とする光ディスク。
【発明の詳細な説明】
【技術分野】
【０００１】
本発明は、複数の記録層を持つ書き換え型のデータ記録担体である光ディスク、並びに光ディスク記録再生装置である光ディスク装置に関し、特に記録手順を簡便にすることができるようにしたものである。
【背景技術】
【０００２】
従来、光ディスクのファイナライズおよび、記録を開始する前に必要な初期化などユーザーデータ以外に管理情報データを記録する必要がある場合に、これらのデータの記録時間をなるべく短時間で終了させることにより、ユーザー利便性の向上が図られている。
【０００３】
例えば、特開２００１−７６４２１号の特許公開公報には、初期化のための管理情報データをユーザーデータ記録・再生の空き時間を利用して記録する方法が開示されている。これは主にトラックバッファにユーザーデータを蓄積している空き時間を利用して情報管理データを記録する発明であり、ユーザーデータの記録・再生に影響を与えることなく情報管理データを記録することができるためユーザーの利便性の向上を図るために有効な手段である。
【特許文献１】特開２００１−７６４２１号公報
【発明の開示】
【発明が解決しようとする課題】
【０００４】
しかしながら、トラックバッファに蓄積する情報量の増大化および、高速化が進む一方で、コストダウンによりトラックバッファは低容量化が進められるため、ユーザーデータのトラックバッファに対する蓄積時間すなわち、ここでいう初期化やファイナライズに必要な情報管理データを記録するために利用する空き時間が減少する傾向にある。その一方で、光ディスクの多層化などにより、記録容量の増大化が進められる状況において、ファイナライズによるダミーデータを記録して光ディスク盤面上に未記録領域が発生しない様に全面をピットで埋める処理は、記録動作全体を長時間化させる大きな要因となり、特に複数記録層によって大容量化された光ディスクでは、これ以上記録を行わないとしてクローズ処理を行う際に、余っている領域が多くなりやすく、ダミーデータの記録に要する時間が長時間化する傾向にあり、ユーザーの利便性を損なうという問題があった。
【０００５】
本発明は、これらの問題を鑑み、書き換え可能な光ディスクにおける多層化に伴うファイナライズなどユーザーデータ以外の情報データを光ディスクに記録するために費やされる時間を短縮するとともに記録手順を簡便にしユーザー利便性を向上させた光ディスク装置、光ディスクを提供することを目的とする。
【課題を解決するための手段】
【０００６】
本発明は、上述した従来の技術の課題を解決するため、次の構成を有する光ディスク装置、光ディスクを提供する。
（１）  複数の記録層を持つ書き換え可能な光ディスクに情報を記録する光ディスク装置であって、
一層目の記録を実施した際に対面する層にダミーデータを記録し、その領域の場所に係わる情報を記録する手段を有することを特徴とする光ディスク装置。
（２）  複数の記録層を持つ書き換え可能な光ディスクであって、一層目の記録を実施した際に対面する層にダミーデータを記録し、その領域の場所に係わる情報を記録できるフィールドを持つことを特徴とする光ディスク。
（３）  複数の記録層を持つ書き換え可能な光ディスクに情報を記録する光ディスク装置であって、
一層目の記録が終了している場合に対面する層にダミーデータとしてリードアウトのデータを記録する手段を有することを特徴とする光ディスク装置。
（４）  複数の記録層を持つ書き換え可能な光ディスクであって、一層目の記録が終了している場合に、その対面する層にダミーデータとしてリードアウトのデータが記録されていることを特徴とする光ディスク。
【発明の効果】
【０００７】
本発明によれば、光ディスクの内周側から一層目を記録すると同時にそれに対面する層にダミーデータの記録を行い、記録したデータの最外周の位置（ダミーデータの記録済み位置情報）を光ディスクの管理情報領域に登録し、更新するのでファイナライズでダミーデータ（リードアウト）を記録する場合にその終端位置を容易に知ることができ、ファイナライズに要する時間を削減することができるため利便性が高まるという効果がある。
【０００８】
ここで、記録層の一層目とは、光ピックアップ（光ピックアップヘッド）から照射される記録レーザ光が入射する光ディスクの入射面側に最も近い位置にある記録層を指す。記録層の二層目は一層目の位置に次いで入射面側に近い位置にある記録層を指す（図３）。
【発明を実施するための最良の形態】
【０００９】
まず、上述した課題の解決策、つまり本発明の考え方について述べる。
上述した発明が解決しようとする課題の状況から、ユーザーデータの記録・再生においてその動作に影響を与えることなく初期化および、ファイナライズなどの情報データ（ダミーデータ）を最大限のパフォーマンスで記録する方法が課題の解決策になる。
【００１０】
そのためには、ダミーデータの記録以外に消費される時間をなるべく少なくし、ダミーデータを光ディスクに記録する時間をなるべく長くする必要がある。このとき記録以外に消費する時間として、記録位置の先頭を探すためのシーク動作が代表として挙げられる。このシーク時間がなるべく短くなる方法で、有効な場所にダミーデータを記録することにより、ダミーデータの記録にかけられる時間を長くすることが可能になる。
【００１１】
記録のためのシークにはPUH(Pick Up Head)の半径方向の移動時間がその大半を占めている。そこで、このPUHの半径方向の移動を極力少なくする方法で有効なダミーデータを記録する方法が課題の解決策になる。
【００１２】
多層式の光ディスクにおける有効なダミーデータの記録位置としては、下位層の記録位置に対面する上位層部分が挙げられ、この場合、層間のフォーカスジャンプによって層を移動するのみで半径方向に対するPUHの移動は最小限で済むため、記録のためのシーク時間を短時間で終了することが可能になる。また、ダミーデータの記録が必要な領域を管理データとして光ディスクの特定なフィールドに記録し、ダミーデータを記録後に管理データの更新を行うことにより、現在の位置に対して最も検索時間が少なくなるダミーデータの記録位置を把握することが可能になると共に、光ディスクを排出した後に再度ダミーデータの記録を再開する場合と最終的にファイナライズを行う際にダミーデータの記録終端位置を検索する時間が必要最小限で済むことが可能になる。
【００１３】
次に、本発明について、添付図面を参照して説明する。
図１は、本発明装置の実施例を用いたシステムの構成例である。
システムは、上位装置1と光ディスク装置 (記録装置) 2と、二層の記録層を持った光ディスク（例えば２層構造のDVD-RW）3とを含む。
【００１４】
図２は本発明装置の動作を説明したフローチャートである。
上位装置１から光ディスク３の一層目に対する記録命令が発行されると、光ディスク装置２は、命令どおり光ディスク３の一層目の記録を実行する（図２ STEP1）。
【００１５】
次に光ディスク3の内周側にあるRMA（図３）に記録される、RMD（図４）におけるダミーデータ記録済みの位置情報および、ユーザーデータの追記ポイントの位置情報を読みだす（図２ STEP2）。なお、このダミーデータ記録済みの位置情報は、本発明の実施例により記録される情報（RMDの一部）で、その内容は図４に示すとおりである。
【００１６】
この情報を元に現在実施した記録命令の一層目に対面する二層目の位置にダミーデータが記録する必要があるか否かを判断する(図２ STEP3)。
ダミーデータが記録されていない領域があると判断した場合に、現在実施した一層目に対面する二層目の領域にダミーデータを記録すると共に、ダミーデータの記録が完了した光ディスクの最外周位置情報のRMDの内容を更新し、更新したRMDをRMAに記録する(図２ STEP4)。ダミーデータが記録済みであると判断した場合は、一層目を記録後、次の記録命令の待機状態になる(図２ STEP５)。以降、上位装置からの記録命令が発行される毎に上記処理を繰り返し実施する。
【００１７】
本発明の実施例を行った場合の光ディスクの状態を図３に示す。
ユーザーデータの追記ポイント(NWA)が二層目に移行し、ダミーデータ記録終端位置を超えた場合は、ユーザーデータを上書きすることにより記録位置を延長していくことが可能である。また、従来ではユーザーデータの追記によりNWAが変更された場合にNWAの後にテンポラリとして少量のダミーリードアウトを記録していたが、この場合は既にリードアウトが記録されているためテンポラリのリードアウトを記録する必要がなくなり記録命令処理の時間が短縮できる効果も期待できる。また、管理領域にダミーデータの位置情報を記録するため、装置から光ディスクを取り出した場合でも次に光ディスクを装着したときに容易にその位置情報を知ることができるため、従来のように光ディスクを取り出す際にファイナライズを完了させる必要がなくなる。
【００１８】
この状態からファイナライズ処理の命令が発行された場合にはリードアウトは、RMDの管理領域にある情報に記録された位置まで記録すればよく、リードアウトを記録する時間が大幅に短縮されることが期待される。
【００１９】
なお、今回の実施例では、上位装置１の記録命令によって一層目を記録する時に対面する層を記録したが、光ディスク製造時に予めフォーマットなどにより既に一層目が記録されている光ディスクである場合は、光ディスク製造段階で対面する層にダミーデータが記録され、その情報がRMDに記録されている場合も考えられる。
【図面の簡単な説明】
【００２０】
【図１】本発明装置の実施例を用いたシステムの構成例を示す図である。
【図２】本発明装置の動作を説明したフローチャートである。
【図３】実施例の二層の記録層を持ったDVD-RWディスクの領域の一部を示す図である。
【図４】実施例のDVD-RWディスクのRMAに記録されるRMDの一部分を示す図である。
【符号の説明】
【００２１】
１  上位装置
２  光ディスク装置
３  光ディスク
【図１】
2006236483.tif 000003
【図２】
2006236483.tif 000004
【図３】
2006236483.tif 000005
【図４】
2006236483.tif 000006